(57)【要約】【課題】  表示素子の表示面側にタッチパネル等の光透過性を有する基板を配置した表示入力装置において、製造工程を増やすことなく、タッチパネル等の光透過性を有する基板とを正確に位置合わせすることができる表示入力装置を提供することを目的とする。【解決手段】  アライメントマーク５は、タッチパネル２において、フレーム３の開口部３ｂを形成する４つのコーナー部のうち少なくとも一つのコーナー部近傍に形成されており、フレーム３の開口部３ｂに対応して形成されている。フレーム３の開口部３ｂを形成する辺に対応してタッチパネル２に形成したアライメントマーク５と、フレーム３の上部３ａに形成した開口部３ｂとの位置合わせをすることで、タッチパネル２を正確に位置合わせすることができる。【選択図】  図３
2010170250.tif 000002
【特許請求の範囲】
【請求項１】
表示素子を保持する矩形状の開口部を備えたフレームと、
前記フレームに対向配置された光透過性を有する基板と、を備え、
前記光透過性を有する基板は、前記フレームの開口部に対応して形成されたアライメントマークを備えた表示入力装置。
【請求項２】
前記アライメントマークは、前記フレームの開口部を形成する水平方向および垂直方向のそれぞれの一辺に対応する水平方向および垂直方向の一辺を備えた請求項１記載の表示入力装置。
【請求項３】
前記アライメントマークは、前記水平方向および垂直方向の一辺を備えた連続するＬ字形状である請求項２記載の表示入力装置。
【請求項４】
表示素子を保持する開口部を備えたフレームと、
前記フレームに対向配置された光透過性を有する基板と、を備え、
前記光透過性を有する部品の端部近傍にアライメントマークが形成され、
前記端部に設けられたアライメントマークと対応する位置であって、前記フレームに位置合わせマークを備えた表示入力装置。
【請求項５】
前記アライメントマークは、水平方向および垂直方向の各々の一辺を備え、前記位置合わせマークは、前記アライメントマークに設けられた水平方向および垂直方向のそれぞれの一辺に対応して形成された請求項４記載の表示入力装置。
【請求項６】
前記アライメントマークは、十字形状であって、前記十字形状のアライメントマークに対応して設けられた四角形状の位置合わせマークをさらに備えた請求項４記載の表示入力装置。
【発明の詳細な説明】
【技術分野】
【０００１】
本発明は、表示素子の表示面側に光透過性を有する基板を配置した表示入力装置に関する。
【背景技術】
【０００２】
近年、表示装置の表示面側にタッチパネルを取り付けた表示入力装置の普及が拡大しつつある。例えば、携帯端末機や銀行ＡＴＭ機等が代表的で、産業用途では装置の操作パネル等に幅広く使用されている。普及が拡大した要因としては、複雑になって来ているオペレーションを、コンピューターの知識が無くても子供から高齢者まで誰もが簡単に操作できる点が挙げられる。
【０００３】
このような表示入力装置においては、タッチパネルと表示装置との取り付けが正確でないと、正確な入力操作が行えなくなってしまうという問題がある。このため、タッチパネルの透過領域にアライメントマークを有し、表示素子の表示領域内に信号を供給してアライメントマークパターンを表示させて、アライメントマークとアライメントパターンとを位置合わせをする技術が開示されている（特許文献１）。
【先行技術文献】
【特許文献】
【０００４】
【特許文献１】特開２００８−９０５４号公報（第７−８頁、第１−７図）
【発明の概要】
【発明が解決しようとする課題】
【０００５】
特許文献１に開示された表示装置においては、タッチパネルの表示領域内に透明基板の透明材料などでアライメントマークを形成し、表示素子に信号を供給してアライメントパターンを表示し、画像認識にて位置合わせする技術が開示されている。しかしながら、アライメントマークは透明材料で形成されているため画像認識が困難であるという問題点があった。また、アライメントマーク表示時の表示素子への信号の供給は装置を用いる必要があり製造工程が煩雑となる。また、アライメントマークの形成のために、製造工程が増加してしまうという問題点があった。
【０００６】
また、タッチパネルを表示装置に取り付ける別の方法として、表示装置の外形端部とタッチパネルの外形端部を位置決めガイド等を用いて取り付ける方法がある。表示装置を固定する治具に、タッチパネルを所定の位置に取り付けるための位置決めガイドが設けられており、位置決めガイドにタッチパネルの外形端部を押し当てながら取り付ける。この方法を採用した場合、手動で位置決めガイドにタッチパネルを押し当てるため、力加減次第ではタッチパネルと表示装置にズレが生じてしまう。また、タッチパネルを取り付けた後に、所定の位置に正確に取り付けられているかを目視で確認する事が出来ないなどの問題点があった。
【０００７】
この発明は、上記のような問題点を解消するためになされたもので、表示素子の表示面側にタッチパネル等の光透過性を有する基板を配置した表示入力装置において、製造工程を増やすことなく、表示素子とタッチパネル等の光透過性を有する基板とを正確に位置合わせすることができる表示入力装置を提供することを目的とする。
【課題を解決するための手段】
【０００８】
本発明の表示入力装置は、表示素子を保持する矩形状の開口部を備えたフレームと、フレームに対向配置された光透過性を有する基板とを備えており、光透過性を有する基板は、フレームの開口部に対応して形成されたアライメントマークを備えたことを特徴とする。
【発明の効果】
【０００９】
本発明の表示入力装置によれば、上記構成を備えているため、製造工程を増やすことなく、表示素子と光透過性を有する基板とを正確に位置合わせすることができる。
【図面の簡単な説明】
【００１０】
【図１】本発明による表示入力装置の一実施形態の上面図である。
【図２】図１のＡ−Ａ線矢視方向から見た断面図である。
【図３】図１のＢ部における要部拡大図である。
【図４】本発明による表示入力装置の一実施形態の要部拡大図である。
【図５】本発明による表示入力装置の一実施形態の要部拡大図である。
【図６】本発明による表示入力装置の一実施形態の要部拡大図である。
【図７】本発明による表示入力装置の一実施形態の要部拡大図である。
【図８】図７のＣ部における要部拡大図である。
【発明を実施するための形態】
【００１１】
実施の形態１．
以下、図面を用いて本発明の表示入力装置について説明する。図１は、表示装置にタッチパネル等の光透過性を有する基板を配置した状態での上面図、図２は図１のＡ−Ａ線矢視方向から見た断面図、図３は図１のＢ部における要部拡大図である。図１および図２に示すように、本発明の光透過性を有する基板であるタッチパネル２を配置した表示入力装置６は、バックライト７、バックライト７からの光を背面から照射する表示素子１および表示素子１に対向して配置されたタッチパネル２により構成されている。バックライト７の光出射面７ａに対向して、液晶パネル等の表示素子１を配置し、上部３ａに矩形状の開口部３ｂを備えたフレーム３で表示素子１およびバックライト７を保持している。フレーム３の上部３ａに両面テープなどの粘着材４を介してタッチパネル２を取り付け、表示入力装置６を構成している。
【００１２】
図３に示すように、本発明においては、タッチパネル２をフレーム３の上部３ａの所望の位置に取り付けるために、タッチパネル２にアライメントマーク５を形成する。アライメントマーク５は、タッチパネル２に形成する配線材料を用いて、配線を形成する工程と同工程で形成されている。また、アライメントマーク５は、タッチパネル２において、フレーム３の開口部３ｂを形成する４つのコーナー部のうち少なくとも一つのコーナー部近傍に形成されており、フレーム３の開口部３ｂを形成する辺に対応して形成されている。また、アライメントマーク５は、フレーム３の開口部３ｂを形成する水平方向の一辺３ｂｈに対応する水平方向の一辺５ａｈと、開口部３ｂを形成する垂直方向の一辺３ｂｖに対応する垂直方向の一辺５ａｖとを備えた連続するＬ字形状で形成することができる。なお、アライメントマーク５は、図４に示すように、水平方向の一辺５ａｈおよび垂直方向の一辺５ａｖを備えていれば、連続する形状（Ｌ字形状）である必要はなく、種々変更可能である。また、本実施の形態においては、タッチパネル２のアライメントマーク５はフレーム３の開口部３ｂ領域外に形成したが、開口部３ｂの領域内に形成してもよく、タッチパネル２の動作領域外に配置すれば、タッチパネル２の配線パターン領域を広く確保する事ができる。
【００１３】
次にアライメントマーク５を形成したタッチパネル２を表示素子１上に取り付ける工程について、図１乃至図３を用いて説明する。図１乃至図３において、バックライト７の出射面７ａに対向して表示素子１を配置し、これらを保持するフレーム３を配置する。フレーム３上にタッチパネル２を配置する際、タッチパネル２に設けたアライメントマーク５とフレーム３の開口部３ｂとを位置合わせをして配置する。フレーム３の開口部３ｂを形成する水平方向の一辺３ｂｈにアライメントマーク５の水平方向の一辺５ａｈを対応させる。同様に、開口部３ｂを形成する垂直方向の一辺３ｂｖにアライメントマーク５の垂直方向の一辺５ａｖを対応させる。次いで両面テープなどの粘着剤４を介してタッチパネル２を取り付ける。
【００１４】
以上説明した通り、本発明の表示入力装置６において、フレーム３の開口部３ｂを形成する辺に対応してタッチパネル２に形成したアライメントマーク５と、フレーム３の上部３ａに形成した開口部３ｂとの位置合わせをすることで、表示素子とタッチパネル２とを正確に位置合わせすることができる。また、アライメントマーク５は、フレーム３の開口部３ｂを形成する水平方向の一辺３ｂｈにアライメントマーク５の水平方向の一辺５ａｈを、開口部３ｂを形成する垂直方向の一辺３ｂｖにアライメントマーク５の垂直方向の一辺５ａｖを対応させて形成することで、タッチパネル２の２方向において、位置合わせができるため、より正確な位置に取り付けることができる。また、タッチパネル２をフレーム３の上部３ａに取り付けた後であっても、取り付け位置のズレを目視で簡単に確認することができる。
【００１５】
図５に本実施の形態１の変形例を示す。図５に示すとおり、本変形例においては、アライメントマークとして、フレーム３の開口部３ｂの領域外に第１のアライメントマーク５１、開口部３ｂの領域内に第２のアライメントマーク５２、の２つを形成している。このような構成により、アライメントマーク５１、５２間に開口部３ｂが配置されるように位置合わせを行い、タッチパネル２をフレーム３の上部３ａに取り付ける。なお、開口部３ｂの形成領域内に設ける第２のアライメントマーク５２は、表示素子１の表示領域Ｒ外に形成する。このように構成することで、フレーム３の開口部３ｂを形成する水平方向の一辺３ｂｈ、垂直方向の一辺３ｂｖに対し、アライメントマーク５１、５２での位置合わせを行うことにより、高精度な位置合わせが可能となる。
【００１６】
実施の形態２．
図６に実施の形態２における要部拡大図を示す。実施の形態１においては、フレーム３の開口部３ｂと対応する位置において、タッチパネル２のフレーム３の開口部３ｂを形成する一つのコーナー部近傍にアライメントマークを形成したが、実施の形態２においては、タッチパネル２の端部近傍にアライメントマーク５３を形成し、アライメントマーク５３に対応する位置であって、フレーム３の上部３ａに位置合わせマーク３１を形成する。フレーム３に形成する位置合わせマーク３１は、フレーム３をプレス加工等を行う工程で同時に形成すればよく、ケガキ線等の刻印や印刷などで形成する。このように形成したタッチパネル２に形成したアライメントマーク５３と、フレーム３に形成した位置合わせマーク３１との位置合わせを行うことで、タッチパネル２をフレーム３の所望の位置に取り付けることができる。アライメントマーク５３は、タッチパネル２の端部近傍に形成したため、表示にも影響がなく、位置合わせのための確認も容易である。また、アライメントマーク５３は、タッチパネル２の端部を認識させるために形成するもので、形成位置や形状などは変更可能である。
【００１７】
実施の形態３．
図７は本発明の別の実施形態を説明する図であり、図８は図７のＣ部の要部拡大図である。実施の形態１において、アライメントマークは少なくともフレーム３の開口部３ｂの水平方向、垂直方向の一辺ににそれぞれ対応させて形成したが、装置を使用してより高精度な貼り合わせを行う場合、図７、図８に示すアライメントマークを形成してよい。図８において、タッチパネル２の端部近傍に十字形状のアライメントマーク５４を形成する。また、十字形状のアライメントマーク５４とともに四角形状を形成する四角形状の位置合わせマーク３２をタッチパネル２を配置させるフレーム３の上部３ａに４つ形成させる。このように形成した位置合わせマーク３２、アライメントマーク５４を画像処理装置にて読み取り、自動機により位置調整を行い取り付ける事で、手動で取り付けるより高精度な取り付けが可能となる。
【００１８】
なお、本発明において、アライメントマーク、位置合わせマークは、対角となる位置にも形成することで、より高精度な取り付けが可能となる。また、コーナー部の全てにアライメントマーク、位置合わせマークを形成するとさらに高精度な取り付けが可能となる。また、アライメントマークおよび位置合わせマークは、幅および長さ、またはそれぞれ対向するマーク間の距離などを適宜変更することによって、手動での取り付けまたは自動機での取り付けのいずれかを選択することができる。また、タッチパネルに形成したアライメントマークは、表示装置と対向する面、表示装置と対向する面の反対側の面のいずれに形成してもよい。
【符号の説明】
【００１９】
１  表示素子、  ２  タッチパネル、  ３  フレーム、  ３ａ  上部、  ３ｂ  開口部、３ａｖ  水平方向の一辺、  ３ｂｖ  垂直方向の一辺、３１、３２  位置合わせマーク、４  粘着剤、  ５、５１、５２、５３、５４  アライメントマーク、  ５ａｈ  水平方向の一辺、５ａｖ  垂直方向の一辺、６  表示入力装置、  ７  バックライト、Ｒ  表示領域。  
【図１】
2010170250.tif 000003
【図２】
2010170250.tif 000004
【図３】
2010170250.tif 000005
【図４】
2010170250.tif 000006
【図５】
2010170250.tif 000007
【図６】
2010170250.tif 000008
【図７】
2010170250.tif 000009
【図８】
2010170250.tif 000010